【手続補正書】
【提出日】平成28年12月9日(2016.12.9)
【手続補正１】
【補正対象書類名】特許請求の範囲
【補正対象項目名】全文
【補正方法】変更
【補正の内容】
【特許請求の範囲】
【請求項１】
方法であって、
電子デバイスが、前記電子デバイスの少なくとも１つのカメラによって撮られたコンテンツに関連付けられたユーザ経験の推定値を提供する品質メトリックを決定することと、
既定のパワーバジェットに対して、前記デバイスの１つ以上の構成要素の電力引込みを決定することと、
前記既定のパワーバジェットに基づいて、前記デバイスの複数の動作パラメータを調整することと
を備え、ここにおいて、前記複数の動作パラメータを調整することは、
調整されると、前記複数の動作パラメータのうちの少なくとも１つの他の動作パラメータに比べて、前記電力引込みには最大の変化を、前記品質メトリックには最小の変化をもたらす、前記複数の動作パラメータのうちの１つ以上の動作パラメータを、前記電力引込みが前記既定のパワーバジェットを超えることに基づいて、決定することと、
決定された前記１つ以上の動作パラメータを調整することと
を備える、方法。
【請求項２】
前記複数の動作パラメータを調整することは、前記コンテンツのコンテキストに基づいて前記少なくとも１つの動作パラメータを調整することを更に備える、請求項１に記載の方法。
【請求項３】
前記少なくとも１つの動作パラメータは、フレームレートと解像度とを備え、
前記少なくとも１つの動作パラメータを調整することは、前記コンテキストに基づいて、前記フレームレートを、前記解像度よりも多く調整すること又は前記解像度よりも少なく調整することのうちの１つを行うことを備える、
請求項２に記載の方法。
【請求項４】
前記コンテキストは、前記コンテンツにおける顔の存在、前記コンテンツにおける肌の色相の存在、前記コンテンツの周波数、前記コンテンツに関連付けられた動きの推定値、前記コンテンツの明るさ、又は前記コンテンツの焦点距離のうちの少なくとも１つを備える、請求項２に記載の方法。
【請求項５】
前記少なくとも１つのカメラは、複数のカメラを構成し、前記デバイスの前記複数の動作パラメータを調整することは、前記複数のカメラの各カメラについて、少なくとも１つの動作パラメータを別個に調整することを備える、請求項１に記載の方法。
【請求項６】
決定された前記１つ以上の動作パラメータを調整することは、前記品質メトリックの推定変化に対する前記電力引込みの前記推定変化の比に基づいて決定された前記１つ以上の動作パラメータを調整することを備える、請求項１に記載の方法。
【請求項７】
前記品質メトリックを決定することは、
複数のユーザ経験係数を生成するために、前記複数の動作パラメータの各々にユーザ経験モデルを適用することと、
前記複数のユーザ経験係数の和を算出することと
を更に備え、
決定された前記１つ以上の動作パラメータを調整することは、前記算出された和に少なくとも部分的に基づいて、決定された前記１つ以上の動作パラメータを調整することを備える、請求項１に記載の方法。
【請求項８】
前記複数のユーザ経験係数の前記和を算出することは、
１つ以上の重み付けされたユーザ経験係数を生成するために、前記コンテンツに関連付けられたコンテキストに基づいて、１つ以上の重み付け係数を、前記ユーザ経験係数のうちの１つ以上に適用することと、
前記重み付けられたユーザ経験係数の加重和を算出することと
を更に備え、
決定された前記１つ以上の動作パラメータを調整することは、前記算出された加重和に少なくとも部分的に基づいて、決定された前記１つ以上の動作パラメータを調整することを備える、請求項７に記載の方法。
【請求項９】
前記少なくとも１つの動作パラメータは、フレームレートと解像度とを備え、
前記コンテンツに関連付けられた前記コンテキストは、前記コンテンツにおける顔の存在、前記コンテンツにおける肌の色相の存在、前記コンテンツの周波数、前記コンテンツに関連付けられた動きの推定値、前記コンテンツの明るさ、又は前記コンテンツの焦点距離のうちの少なくとも１つを備え、
前記ユーザ経験モデルを前記少なくとも１つの動作パラメータの各々に適用することは、フレームレートユーザ経験係数を生成するために、前記ユーザ経験モデルを前記フレームレートに適用することと、解像度ユーザ経験係数を生成するために前記ユーザ経験モデルを前記解像度に適用することとを備え、
前記１つ以上の重み付け係数を適用することは、第１の重み付け係数を前記フレームレートユーザ経験係数に、第２の異なる重み付け係数を前記解像度ユーザ経験係数に適用することを備える、
請求項８に記載の方法。
【請求項１０】
前記複数の動作パラメータは、フレームレート、解像度、前記少なくとも１つのカメラを含む少なくとも１つのカメラサブシステムの１つ以上のハードウェア構成要素に関連付けられた１つ以上の動作パラメータ、又は前記コンテンツを撮る前記少なくとも１つのカメラの少なくとも１つのセンサ、のうちの少なくとも２つを備える、請求項１に記載の方法。
【請求項１１】
電子デバイスであって、
少なくとも１つのカメラと、
１つ以上のプロセッサと、
を備え、前記１つ以上のプロセッサは、
前記電子デバイスの前記少なくとも１つのカメラによって撮られたコンテンツに関連付けられたユーザ経験の推定値を提供する品質メトリックを決定することと、
既定のパワーバジェットに対して、前記デバイスの１つ以上の構成要素の電力引込みを決定することと、
前記既定のパワーバジェットに基づいて、前記デバイスの複数の動作パラメータを調整することと
を行うように構成され、ここにおいて、前記複数の動作パラメータを調整するために、前記１つ以上のプロセッサは、調整されると、前記複数の動作パラメータのうちの少なくとも１つの他の動作パラメータに比べて、前記電力引込みには最大の変化を、前記品質メトリックには最小の変化をもたらす、前記複数の動作パラメータのうちの１つ以上の動作パラメータを、前記電力引込みが前記既定のパワーバジェットを超えることに基づいて、決定することと、決定された前記１つ以上の動作パラメータを調整することとを行うように構成される、電子デバイス。
【請求項１２】
前記複数の動作パラメータを調整するために、前記１つ以上のプロセッサは、前記コンテンツのコンテキストに基づいて前記少なくとも１つの動作パラメータを調整するように構成される、請求項１１に記載の電子デバイス。
【請求項１３】
前記少なくとも１つの動作パラメータは、フレームレートと解像度とを備え、
前記少なくとも１つの動作パラメータを調整するために、前記１つ以上のプロセッサは、前記コンテキストに基づいて、前記フレームレートを、前記解像度よりも多く調整すること又は前記解像度よりも少なく調整することのうちの１つを行うように構成される、
請求項１２に記載の電子デバイス。
【請求項１４】
前記コンテキストは、前記コンテンツにおける顔の存在、前記コンテンツにおける肌の色相の存在、前記コンテンツの周波数、前記コンテンツに関連付けられた動きの推定値、前記コンテンツの明るさ、又は前記コンテンツの焦点距離のうちの少なくとも１つを備える、請求項１２に記載の電子デバイス。
【請求項１５】
前記少なくとも１つのカメラは、複数のカメラを構成し、前記デバイスの前記複数の動作パラメータを調整するために、前記１つ以上のプロセッサは、前記複数のカメラの各カメラについて、少なくとも１つの動作パラメータを別個に調整するように構成される、請求項１１に記載の電子デバイス。
【請求項１６】
決定された前記１つ以上の動作パラメータを調整するために、前記１つ以上のプロセッサは、前記品質メトリックへの推定変化に対する前記電力引込みの前記推定変化の比に基づいて、決定された前記１つ以上の動作パラメータを調整するように構成される、請求項１１に記載の電子デバイス。
【請求項１７】
前記品質メトリックを決定するために、前記１つ以上のプロセッサは、
複数のユーザ経験係数を生成するために、前記複数の動作パラメータの各々にユーザ経験モデルを適用することと、
前記複数のユーザ経験係数の和を算出することと
を行うように構成され、
決定された前記１つ以上の動作パラメータを調整するために、前記１つ以上のプロセッサは、算出された前記和に少なくとも部分的に基づいて決定された前記１つ以上の動作パラメータを調整するように構成される、請求項１１に記載の電子デバイス。
【請求項１８】
前記複数のユーザ経験係数の前記和を算出するために、前記１つ以上のプロセッサは、
１つ以上の重み付けされたユーザ経験係数を生成するために、前記コンテンツに関連付けられたコンテキストに基づいて、１つ以上の重み付け係数を、前記ユーザ経験係数のうちの１つ以上に適用すること、
前記重み付けられたユーザ経験係数の加重和を算出することと
を行うように構成され、
決定された前記１つ以上の動作パラメータを調整するために、前記１つ以上のプロセッサは、算出された前記加重和に少なくとも部分的に基づいて決定された前記１つ以上の動作パラメータを調整するように構成される、請求項１７に記載の電子デバイス。
【請求項１９】
前記少なくとも１つの動作パラメータは、フレームレートと解像度とを備え、
前記コンテンツに関連付けられた前記コンテキストは、前記コンテンツにおける顔の存在、前記コンテンツにおける肌の色相の存在、前記コンテンツの周波数、前記コンテンツに関連付けられた動きの推定値、前記コンテンツの明るさ、又は前記コンテンツの焦点距離のうちの少なくとも１つを備え、
前記ユーザ経験モデルを前記少なくとも１つの動作パラメータの各々に適用するために、前記１つ以上のプロセッサは、フレームレートユーザ経験係数を生成するために、前記ユーザ経験モデルを前記フレームレートに適用することと、解像度ユーザ経験係数を生成するために前記ユーザ経験モデルを前記解像度に適用することを行うように構成され、
前記１つ以上の重み付け係数を適用するために、前記１つ以上のプロセッサは、第１の重み付け係数を前記フレームレートユーザ経験係数に、第２の異なる重み付け係数を前記解像度ユーザ経験係数に適用するように構成される、
請求項１８に記載の電子デバイス。
【請求項２０】
前記複数の動作パラメータは、フレームレート、解像度、前記少なくとも１つのカメラを含む少なくとも１つのカメラサブシステムの１つ以上のハードウェア構成要素に関連付けられた１つ以上の動作パラメータ、又は、前記コンテンツを撮る前記少なくとも１つのカメラの少なくとも１つのセンサのうちの少なくとも２つを備える、請求項１１に記載の電子デバイス。
【請求項２１】
装置であって、
電子デバイスの少なくとも１つのカメラによって撮られたコンテンツに関連付けられたユーザ経験の推定値を提供する品質メトリックを決定するための手段と、
既定のパワーバジェットに対して、前記デバイスの１つ以上の構成要素の電力引込みを決定するための手段と、
前記既定のパワーバジェットに基づいて、前記デバイスの複数の動作パラメータを調整するための手段と
を備え、ここにおいて、前記複数の動作パラメータを調整するための手段は、
調整されると、前記複数の動作パラメータのうちの少なくとも１つの他の動作パラメータに比べて、前記電力引込みには最大の変化を、前記品質メトリックには最小の変化をもたらす、前記複数の動作パラメータのうちの１つ以上の動作パラメータを、前記電力引込みが前記既定のパワーバジェットを超えることに基づいて、決定するための手段と、
決定された前記１つ以上の動作パラメータを調整するための手段と
を備える、装置。
【請求項２２】
命令を記憶しているコンピュータ可読記憶媒体であって、前記命令は、実行されると、１つ以上のプロセッサに、
電子デバイスの少なくとも１つのカメラによって撮られたコンテンツに関連付けられたユーザ経験の推定値を提供する品質メトリックを決定することと、
既定のパワーバジェットに対して、前記デバイスの１つ以上の構成要素の電力引込みを決定することと、
前記既定のパワーバジェットに基づいて、前記デバイスの複数の動作パラメータを調整することと
を行わせ、ここにおいて、前記複数の動作パラメータを調整するために、前記命令は、前記1つ以上のプロセッサに、
調整されると、前記複数の動作パラメータのうちの少なくとも１つの他の動作パラメータに比べて、前記電力引込みには最大の変化を、前記品質メトリックには最小の変化をもたらす、前記複数の動作パラメータのうちの１つ以上の動作パラメータを、前記電力引込みが前記既定のパワーバジェットを超えることに基づいて、決定することと、
決定された前記１つ以上の動作パラメータを調整することと
を行わせる、コンピュータ可読記憶媒体。
【請求項２３】
方法であって、
電子デバイスが、前記電子デバイスの少なくとも１つのカメラによって撮られたコンテンツに関連付けられたユーザ経験の推定値を提供する品質メトリックを決定することと、
前記既定の温度限界に対して、前記デバイスの１つ以上の構成要素の温度を決定することと、
前記既定のパワーバジェットに基づいて、前記デバイスの複数の動作パラメータを調整することと
を備え、ここにおいて、前記複数の動作パラメータを調整することは、
調整されると、前記複数の動作パラメータのうちの少なくとも１つの他の動作パラメータに比べて、前記デバイスの前記１つ以上の構成要素の温度には最大の変化を、前記品質メトリックには最小の変化をもたらす、前記複数の動作パラメータのうちの１つ以上の動作パラメータを、決定された前記温度が前記既定の温度限界を超えることに基づいて、決定することと、
決定された前記１つ以上の動作パラメータを調整することと
を備える、方法。
【請求項２４】
前記複数の動作パラメータを調整することは、前記コンテンツのコンテキストに基づいて少なくとも１つの動作パラメータを調整することを更に備える、請求項２３に記載の方法。
【請求項２５】
前記少なくとも１つの動作パラメータは、フレームレートと解像度とを備え、
前記少なくとも１つの動作パラメータを調整することは、前記コンテキストに基づいて、前記フレームレートを、前記解像度よりも多く調整すること又は前記解像度よりも少なく調整することのうちの１つを行うことを備える、
請求項２４に記載の方法。
【請求項２６】
前記コンテキストは、前記コンテンツにおける顔の存在、前記コンテンツにおける肌の色相の存在、前記コンテンツの周波数、前記コンテンツに関連付けられた動きの推定値、前記コンテンツの明るさ、又は前記コンテンツの焦点距離のうちの少なくとも１つを備える、請求項２４に記載の方法。
【請求項２７】
前記少なくとも１つのカメラは、複数のカメラを構成し、前記デバイスの前記複数の動作パラメータを調整することは、前記複数のカメラの各カメラについて、少なくとも１つの動作パラメータを別個に調整することを備える、請求項２３に記載の方法。
【請求項２８】
電子デバイスであって、
少なくとも１つのカメラと、
１つ以上のプロセッサと、
を備え、前記１つ以上のプロセッサは、
前記電子デバイスの前記少なくとも１つのカメラによって撮られたコンテンツに関連付けられたユーザ経験の推定値を提供する品質メトリックを決定することと、
前記既定の温度限界に対して、前記デバイスの１つ以上の構成要素の温度を決定することと、
前記既定のパワーバジェットに基づいて、前記デバイスの複数の動作パラメータを調整することと、
を行うように構成され、ここにおいて、前記複数の動作パラメータを調整するために、前記１つ以上のプロセッサは、調整されると、前記複数の動作パラメータのうちの少なくとも１つの他の動作パラメータに比べて、前記デバイスの１つ以上の構成要素の温度には最大の変化を、前記品質メトリックには最小の変化をもたらす、前記複数の動作パラメータのうちの１つ以上の動作パラメータを、前記温度が前記既定の温度限界を超えることに基づいて、決定することと、決定された前記１つ以上の動作パラメータを調整することとを行うように構成される、電子デバイス。
【請求項２９】
前記複数の動作パラメータを調整することは、前記コンテンツのコンテキストに基づいて少なくとも１つの動作パラメータを調整することを更に備える、請求項２８に記載の電子デバイス。
【請求項３０】
前記少なくとも１つの動作パラメータは、フレームレートと解像度とを備え、
前記少なくとも１つの動作パラメータを調整するために、前記１つ以上のプロセッサは、前記コンテキストに基づいて、前記フレームレートを、前記解像度よりも多く調整すること又は前記解像度よりも少なく調整することのうちの１つを行うように構成される、
請求項２９に記載の電子デバイス。
【請求項３１】
前記コンテキストは、前記コンテンツにおける顔の存在、前記コンテンツにおける肌の色相の存在、前記コンテンツの周波数、前記コンテンツに関連付けられた動きの推定値、前記コンテンツの明るさ、又は前記コンテンツの焦点距離のうちの少なくとも１つを備える、請求項２９に記載の電子デバイス。
【請求項３２】
前記少なくとも１つのカメラは、複数のカメラを構成し、前記デバイスの前記複数の動作パラメータを調整することは、前記複数のカメラの各カメラについて、少なくとも１つの動作パラメータを別個に調整することを備える、請求項２８に記載の電子デバイス。
【請求項３３】
前記方法は、前記電子デバイス上で実行可能であり、前記電子デバイスは、ワイヤレス通信デバイスであり、前記ワイヤレス通信デバイスは、
前記少なくとも１つのカメラによって撮られた前記コンテンツを記憶するように構成されたメモリと、
前記メモリに記憶された前記コンテンツを処理するために命令を実行するように構成されたプロセッサと、
前記コンテンツをワイヤレスに送信するように構成された送信機と
を備え、ここにおいて、前記ワイヤレス通信デバイスは、セルラ電話であり、送信される前記コンテンツは、セルラ通信規格に従って変調される、請求項１に記載の方法。